【手続補正書】
【提出日】平成15年10月7日(2003.10.7)
【手続補正１】
【補正対象書類名】明細書
【補正対象項目名】特許請求の範囲
【補正方法】変更
【補正の内容】
【特許請求の範囲】
【請求項１】
物体像を形成する対物レンズ作用面と、前記物体像を正立正像させる像反転光学系と、前記物体像を観察するための接眼レンズ作用面とを有する、１回結像のみのファインダー光学系において、
前記像反転光学系が、少なくとも物体像の上下反転作用若しくは左右反転作用を備えた像反転用反射面を有する像反転光学部材と、少なくとも反射作用面を１つ備えた像反転作用を有しない反射光学部材とを含み、
前記反射光学部材が、光束に収束作用又は発散作用を与えるパワー面を有すると共に、面形状が回転非対称に形成され、且つ、その面の中心を通る断面形状は全て曲線となるように形成された回転非対称面を備えたことを特徴とするファインダー光学系。
【請求項２】
前記回転非対称面は、面内及び面外共に回転対称軸を有しない回転非対称面であることを特徴とする請求項１記載のファインダー光学系。
【請求項３】
前記回転非対称面が、トーリック面にて形成されていることを特徴とする請求項１記載のファインダー光学系。
【請求項４】
前記回転非対称面がアナモルフィック面であることを特徴とする請求項２記載のファインダー光学系。
【請求項５】
前記回転非対称面が、対称面を１つのみ有する自由曲面であることを特徴とする請求項２記載のファインダー光学系。
【請求項６】
それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、更にその内部で軸上主光線が交差することを特徴とする1 回結像のファインダー光学系。
【請求項７】
前記像反転を行わないパワーを有した光学部材は、少なくとも共通の面で透過作用と反射作用をする面を有することを特徴とする請求項６記載のファインダー光学系。
【請求項８】
前記回転非対称な面の少なくとも1 面が、軸上主光線に対して偏心していることを特徴とする請求項７記載のファインダー光学系。
【請求項９】
前記回転非対称な面は、その面内及び面外共に回転対称軸を有しないことを特徴とする請求項８記載のファインダー光学系。
【請求項１０】
前記像反転を行わないパワーを有した光学部材は、偶数回反射をおこなうことを特徴とする請求項９記載のファインダー光学系。
【請求項１１】
像反転光学系の一部を構成し、前記像反転を行わないパワーを有した光学部材以外の部材の少なくとも１つは、偶数回反射をおこない且つダハ面を有していることを特徴とする請求項１０記載のファインダー光学系。
【請求項１２】
像反転光学系の一部を構成し、前記像反転を行わないパワーを有した光学部材以外の部材の少なくとも１つは、奇数回反射することを特徴とする請求項１０記載のファインダー光学系。
【請求項１３】
像反転光学系の一部を構成し、前記像反転を行わないパワーを有した光学部材以外の部材の少なくとも１つは、ポロプリズムから成ることを特徴とする請求項１０記載のファインダー光学系。
【請求項１４】
それぞれが少なくとも１つの反射面を有した複数の光学部材より成る像反転光学系を備えた１回結像のファインダーにおいて、前記光学部材の少なくとも１つは像反転を行わないパワーを有した光学部材であり、該光学部材の各面は光線の透過、反射に対して独立で、それらの面の少なくとも1 面に回転非対称面を有することを特徴とする1 回結像のファインダー光学系。
【請求項１５】
前記回転非対称な面の少なくとも1 面が、軸上主光線に対して偏心していることを特徴とする請求項１４記載のファインダー光学系。
【請求項１６】
前記回転非対称な面は、その面内及び面外共に回転対称軸を有しないことを特徴とする請求項１５記載のファインダー光学系。
【請求項１７】
前記像反転を行わないパワーを有した光学部材は、偶数回反射であることを特徴とする請求項１６記載のファインダー光学系。
【請求項１８】
前記像反転を行わないパワーを有した光学部材内部で軸上主光線が交差することを特徴とする請求項１７記載のファインダー光学系。
【請求項１９】
前記像反転を行わないパワーを有した光学部材内部で軸上主光線が交差しないことを特徴とする請求項１７記載のファインダー光学系。
【請求項２０】
像反転光学系の一部を構成し、前記像反転を行わないパワーを有した光学部材以外の部材の少なくとも１つは、偶数回反射でダハ面を有していることを特徴とする請求項１８記載のファインダー光学系。
【請求項２１】
像反転光学系の一部を構成し、前記像反転を行わないパワーを有した光学部材以外の部材の少なくとも１つは、偶数回反射でダハ面を有していることを特徴とする請求項１９記載のファインダー光学系。
【請求項２２】
像反転光学系の一部を構成し、前記像反転を行わないパワーを有した光学部材以外の部材の少なくとも１つは、奇数回反射することを特徴とする請求項１８記載のファインダー光学系。
【請求項２３】
像反転光学系の一部を構成し、前記像反転を行わないパワーを有した光学部材以外の部材の少なくとも１つは、奇数回反射することを特徴とする請求項１９記載のファインダー光学系。
【請求項２４】
像反転光学系の一部を構成し、前記像反転を行わないパワーを有した光学部材以外の部材の少なくとも１つは、ポロプリズムから成ることを特徴とする請求項１８記載のファインダー光学系。
【請求項２５】
像反転光学系の一部を構成し、前記像反転を行わないパワーを有した光学部材以外の部材の少なくとも１つは、ポロプリズムから成ることを特徴とする請求項１９記載のファインダー光学系。
【請求項２６】
それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有することを特徴とする1 回結像のファインダー光学系。
【請求項２７】
前記回転非対称な面の少なくとも1 面が、軸上主光線に対して偏心していることを特徴とする請求項２６記載のファインダー光学系。
【請求項２８】
前記回転非対称な面は、その面内及び面外共に回転対称軸を有しないことを特徴とする請求項２７記載のファインダー光学系。
【請求項２９】
前記像反転を行わないパワーを有した光学部材は、偶数回反射であることを特徴とする請求項２８記載のファインダー光学系。
【請求項３０】
像反転光学系の一部を構成し、前記像反転を行わないパワーを有した光学部材以外の部材の少なくとも１つは、偶数回反射でダハ面を有していることを特徴とする請求項２９記載のファインダー光学系。
【請求項３１】
像反転光学系の一部を構成し、前記像反転を行わないパワーを有した光学部材以外の部材の少なくとも１つは、奇数回反射することを特徴とする請求項２９記載のファインダー光学系。
【請求項３２】
像反転光学系の一部を構成し、前記像反転を行わないパワーを有した光学部材以外の部材の少なくとも１つは、ポロプリズムから成ることを特徴とする請求項２９記載のファインダー光学系。
【請求項３３】
それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有さないポロプリズムであることを特徴とする1 回結像のファインダー光学系。
【請求項３４】
それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有さないダハ面を持った偶数回反射の光学部材ことを特徴とする1 回結像のファインダー光学系。
【請求項３５】
それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有さないダハ面を持った３回反射の光学部材であり、その光学部材の内部で軸上主光線が交差しないことを特徴とする1 回結像のファインダー光学系。
【請求項３６】
それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有さないダハ面を持った３回反射のミラーであり、そのミラーの内部で軸上主光線が交差することを特徴とする1 回結像のファインダー光学系。
【請求項３７】
それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーとダハ面を有さない３回反射の光学部材であり、その光学部材の内部で軸上主光線が交差することを特徴とする1 回結像のファインダー光学系。
【請求項３８】
それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーとダハ面を有さない３回反射の光学部材であり、その光学部材の内部で軸上主光線が交差しないことを特徴とする1 回結像のファインダー光学系。
【請求項３９】
それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有さない１回反射の光学部材であることを特徴とする1 回結像のファインダー光学系。
【請求項４０】
像反転光学系を備えた１回結像のファインダーにおいて、前記像反転光学系が少なくとも１つの面が回転非対称な面を有しかつパワーを有する像方向変換部材を有することを特徴とする1 回結像のファインダー光学系。
但し、像反転光学系は、物体の倒立実像を正立正像にするための作用を有する光学部材全てを指すものとし、像方向変換部材は、少なくともその部材のみで上下あるいは左右の反転が行われる光学部材を指すものとする。
【請求項４１】
前記回転非対称な面の少なくとも1 面が、軸上主光線に対して偏心していることを特徴とする請求項４０記載のファインダー光学系。
【請求項４２】
前記回転非対称な面は、その面内及び面外共に回転対称軸を有しないことを特徴とする請求項４１記載のファインダー光学系。
【請求項４３】
前記像方向変換部材が、少なくとも偶数回反射し、ダハ面を有していることを特徴とする請求項４２記載のファインダー光学系。
【請求項４４】
前記像方向変換部材が、少なくとも奇数回反射することを特徴とする請求項４２記載のファインダー光学系。
【請求項４５】
前記像方向変換部材が、少なくともポロプリズムから成ることを特徴とする請求項４２記載のファインダー光学系。
【請求項４６】
前記回転非対称面が、トーリック面にて形成されていることを特徴とする請求項４０記載のファインダー光学系。
【請求項４７】
前記回転非対称面がアナモルフィック面であることを特徴とする請求項４０〜４５のいずれかの請求項に記載のファインダー光学系。
【請求項４８】
前記回転非対称面が、対称面を１つのみ有する自由曲面であることを特徴とする請求項４０〜４５のいずれかの請求項に記載のファインダー光学系。
【手続補正２】
【補正対象書類名】明細書
【補正対象項目名】００１５
【補正方法】変更
【補正の内容】
【００１５】
以下、本発明の第１の発明につき説明する。本第１の発明のファインダー光学系は、物体像を形成する対物レンズ作用面と、前記物体像を正立正像させる像反転光学系と、前記物体像を観察するための接眼レンズ作用面とを有する、１回結像のみのファインダー光学系において、前記像反転光学系が、少なくとも物体像の上下反転作用若しくは左右反転作用を備えた像反転用反射面を有する像反転光学部材と、少なくとも反射作用面を１つ備えた像反転作用を有しない反射光学部材とを含み、前記反射光学部材が、光束に収束作用又は発散作用を与えるパワー面を有すると共に、面形状が回転非対称に形成され、且つ、その面の中心を通る断面形状は全て曲線となるように形成された回転非対称面を備えた構成にしている。また、この光学系中、前記回転非対称面は、面内及び面外共に回転対称軸を有しない回転非対称面であることが望ましい。また、前記回転非対称面としては、その目的に対応してトーリック面、アナモルフィック面、ＴＦＣ面が望ましい。


【手続補正３】
【補正対象書類名】明細書
【補正対象項目名】００２５
【補正方法】変更
【補正の内容】
【００２５】
次に、本第１の発明について説明する。
1 回結像のファインダー光学系では一般に、像反転光学系の光学部材は前述の軸上主光線（回転対称系では光軸）に対して偏心した反射面を有している。また特にファインダー光学系の小型化を考えた場合、対物レンズ側、及び接眼レンズ側の両方で、光路を折り曲げて小型化を図ることが望ましい。更に、少なくとも像反転光学系の軸上主光線に対し偏心した面にパワーをつけることによって、ファインダー光学系を構成している他の回転対称な面のパワーを小さくしたり、回転対称なレンズの枚数削減も可能であり、ファインダー光学系の小型化のためには好ましい。しかしそれにより、回転非対称な偏心収差が発生し、回転対称な面ではその補正が不可能であるため光学性能的には好ましくない。そこで本発明のファインダー光学系では、像反転光学系を複数の光学部材で構成し、軸上主光線に対して偏心した面にパワーを持たせ小型化を達成すると同時に、像反転光学系中に回転非対称な面を適用することで、偏心した面にパワーを持たせたことにより発生する回転非対称な偏心収差を良好に補正している。その結果、小型高性能なファインダー光学系を得ることが可能になる。
また、回転非対称な面は、パワーを有した像反転光学系中の光学部材に適用することが望ましい。これは、1 つの光学部材内で発生した回転非対称な偏心収差を、その光学部材内で良好に補正するためである。それにより、像反転光学系中の別の光学部材との組み立て時の相対的な位置精度等が緩和されるので好ましい。また特に、回転非対称な面を適用する光学部材は偏心感度及び製作精度が厳しくなる。そのため、像反転光学系中の像反転を行わない反射面を有する光学部材に適用すれば、製作精度上コストダウンが図られ好ましい。また、ファインダー光学系自身を小型化するためには、像反転光学系中の反射面を有する光学部材内で、光路長をかせぐことが望ましく、その光学部材内で軸上主光線を交差させることで、それが達成できる。また軸上主光線を交差させることによりファインダー光学系に入射する光線の角度と射出する光線の角度を大きく変化させることも可能となるので、適用する光学装置内でのファインダー光学系のレイアウトの自由度が増えるため、装置全体の小型化に大きく寄与できる。
更に、本第１の発明のファインダー光学系は、像反転を行わないパワーを有した光学部材は、少なくとも共通の面で透過作用と反射作用を有する面を有する構成としている。なぜならば、軸上主光線に対して偏心した面を有し回転非対称な面を適用する光学部材は、偏心感度及び製作精度が厳しくなる。そのため、出来るだけ少ない回転非対称な面で多くの反射、透過作用を持たせるのが望ましく、コストダウンが図れるからである。


【手続補正４】
【補正対象書類名】明細書
【補正対象項目名】００２６
【補正方法】変更
【補正の内容】
【００２６】
また、本第１の発明の回転非対称な面は、前述の軸上主光線に対して偏心させる構成としている。本発明では、軸上主光線に対して偏心させた面にパワーを持たせたことで、その面で発生する回転非対称な偏心収差が発生する。そこで軸上主光線に対して偏心させた回転非対称な面を導入することで初めて、前記回転非対称な偏心収差を効率良く補正することが可能となる。前記回転非対称な偏心収差を補正するために導入した回転非対称な面が軸上主光線に対して偏心していないと、該回転非対称な面の回転非対称の度合いが強くなりすぎ、収差に対する感度も高くなるために、製造が困難になり望ましくない。また、軸上主光線に対して偏心し、且つパワーを持たせた面自体を回転非対称な面で構成させても良い。これにより自らの面が偏心し、且つパワーを持っているにも関わらず、回転非対称な偏心収差の発生の少ない面を構成することが可能となる。


【手続補正５】
【補正対象書類名】明細書
【補正対象項目名】００３２
【補正方法】変更
【補正の内容】
【００３２】
また、本第１の発明のファインダー光学系は、それぞれが少なくとも１つの反射面を有した複数の光学部材より成る像反転光学系を備えた１回結像のファインダーにおいて、前記光学部材の少なくとも１つは像反転を行わないパワーを有した光学部材であり、該光学部材の各面は光線の透過、反射に対して独立で、それらの面の少なくとも1 面に回転非対称面を有することを特徴とする1 回結像のファインダー光学系である。回転非対称な面の導入と、各面を独立にすることにより、回転非対称な偏心収差補正の自由度を増し、良好な収差補正が可能となる。


【手続補正６】
【補正対象書類名】明細書
【補正対象項目名】００３５
【補正方法】変更
【補正の内容】
【００３５】
また、本第１の発明の別のタイプのファインダー光学系は、それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有することを特徴とする1 回結像のファインダー光学系である。像反転光学系の一部を構成し、像反転を行わないパワーを有した光学部材以外の光学部材の少なくとも１つにパワーを持たせることで、ファインダー光学系の小型化が、また収差補正の自由度が増えたことにより、高性能化が図られる。


【手続補正７】
【補正対象書類名】明細書
【補正対象項目名】００３６
【補正方法】変更
【補正の内容】
【００３６】
また、本第１の発明の別のタイプのファインダー光学系は、それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有さないポロプリズムであることを特徴とする1 回結像のファインダー光学系である。像反転を行わないパワーを有した光学部材内部で軸上主光線が交差しないため、その光学部材に入射する光線の角度と射出する光線の角度が大きく変わらない。従って、入射する光線の角度と射出する光線の角度が大きく変わらないファインダー光学系を構成することが可能となる。これにより光路を折りたたむことで光学系全体の小型化を達成し、観察者の側では、視線方向と被写体の方向が大きく変わらないため、全く違和感なくカメラやビデオ等を撮影することができる。また同時に用いるポロプリズムがパワーを持たないので、ポロプリズムの製作上コストダウンが、また精度上高性能化が図れる。


【手続補正８】
【補正対象書類名】明細書
【補正対象項目名】００３７
【補正方法】変更
【補正の内容】
【００３７】
また、本第１の発明の別のタイプのファインダー光学系は、それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有さないダハ面を持った偶数回反射の光学部材ことを特徴とする1 回結像のファインダー光学系である。
像反転を行わないパワーを有した光学部材内部で軸上主光線が交差しないため、その光学部材に入射する光線の角度と射出する光線の角度が大きく変わらない。従って、入射する光線の角度と射出する光線の角度が大きく変わらないファインダー光学系を構成することが可能となる。これにより光路を折りたたむことで光学系全体の小型化を達成し、観察者の側では、視線方向と被写体の方向が大きく変わらないため、全く違和感なくカメラやビデオ等を撮影することができる。また同時に用いるダハ面を持った偶数回反射の光学部材がパワーを持たないので、製作上コストダウンが、また精度上高性能化が図れる。


【手続補正９】
【補正対象書類名】明細書
【補正対象項目名】００３８
【補正方法】変更
【補正の内容】
【００３８】
また、本第１の発明の別のタイプのファインダー光学系は、それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有さないダハ面を持った３回反射の光学部材であり、その光学部材の内部で軸上主光線が交差しないことを特徴とする1 回結像のファインダー光学系である。同時に用いるダハ面を持った３回反射の光学部材がパワーを持たないので、製作上コストダウンが、また精度上高性能化が図れる。また３回反射により、光路長をかせげるので、小型化が達成できる。


【手続補正１０】
【補正対象書類名】明細書
【補正対象項目名】００３９
【補正方法】変更
【補正の内容】
【００３９】
また、本第１の発明の別のタイプファインダー光学系は、それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有さないダハ面を持った３回反射のミラーであり、そのミラーの内部で軸上主光線が交差することを特徴とする1 回結像のファインダー光学系である。同時に用いるダハ面を持った３回反射の光学部材がパワーを持たないので、製作上コストダウンが、また精度上高性能化が図れる。また３回反射により光路長をかせぎ、軸上主光線が交差することにより光学部材自身の小型化が可能となるので、ファインダー光学系の小型化が達成できる。更に、ミラーを用いることで軽量化も図れる。


【手続補正１１】
【補正対象書類名】明細書
【補正対象項目名】００４０
【補正方法】変更
【補正の内容】
【００４０】
また、本第１の発明の別のタイプのファインダー光学系は、それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーとダハ面を有さない３回反射の光学部材であり、その光学部材の内部で軸上主光線が交差することを特徴とする1 回結像のファインダー光学系である。像反転を行わないパワーを有した光学部材以外の光学部材の少なくとも１つはパワーとダハ面を有さない３回反射の光学部材であるため、製作精度上、コストダウンが図れる。また、軸上主光線が交差することにより光学部材自身の小型化が可能となるので、ファインダー光学系の小型化が達成できる。


【手続補正１２】
【補正対象書類名】明細書
【補正対象項目名】００４１
【補正方法】変更
【補正の内容】
【００４１】
また、本第１の発明の別のタイプのファインダー光学系は、それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーとダハ面を有さない３回反射の光学部材であり、その光学部材の内部で軸上主光線が交差しないことを特徴とする1 回結像のファインダー光学系である。像反転を行わないパワーを有した光学部材以外の光学部材の少なくとも１つはパワーとダハ面を有さない３回反射の光学部材であるため、製作精度上、コストダウンが図れる。


【手続補正１３】
【補正対象書類名】明細書
【補正対象項目名】００４２
【補正方法】変更
【補正の内容】
【００４２】
また、本第１の発明の別のタイプのファインダー光学系は、それぞれが少なくとも１つの反射面を有した複数の光学部材から成る像反転光学系を備えた１回結像のファインダーにおいて、前記光学部材の少なくとも１つは像反転を行わないパワーを有した光学部材であり、該光学部材は少なくとも回転非対称面を有し、その内部では軸上主光線が交差せず、更に像反転光学系の一部を構成し、前記像反転を行わないパワーを有した光学部材以外の光学部材の少なくとも１つはパワーを有さない１回反射の光学部材であることを特徴とする1 回結像のファインダー光学系である。
１回反射の場合は、特に光学部材内の他の反射面との相対的な偏心を考慮しなくて良い。屈折面に対し２倍の感度を有する反射面の偏心精度を考慮しなくて良い分、大きなコストダウンが図れる。また反射面が少なくて良い分、光量のロスが防げるので好ましい。


【手続補正１４】
【補正対象書類名】明細書
【補正対象項目名】００４７
【補正方法】変更
【補正の内容】
【００４７】
また、本第１の発明で物体を倒立実像とするための対物レンズ系は、ズームレンズでも、単焦点レンズでも、以上述べてきた構成に適用できることは言うまでもない。


【手続補正１５】
【補正対象書類名】明細書
【補正対象項目名】００５１
【補正方法】変更
【補正の内容】
【００５１】
また、本第１の発明のファインダー光学系では、対物レンズと接眼レンズの焦点距離の比によって、像の見える大きさ、いわゆるファインダー倍率が決まってくる。ファインダー光学系自体を小さく保ったままファインダー倍率を大きくするためには、対物レンズの焦点距離を長くするか、接眼レンズの焦点距離を短くすることが望ましい。しかし、接眼レンズの焦点距離を短くしてファインダー倍率を大きくしようとすると、接眼レンズで発生する収差量が大きくなり過ぎ、それを補正するために接眼レンズ自身のレンズ枚数を増やさなければならなくなる。また奇数回反射をする場合は、1 回反射あるいは３回反射が好ましい。５回以上の反射回数になると、ファインダー光学系の小型化が図れなくなる。特に３回反射の場合は、光学部材内で光路長を稼ぎ、対物レンズの光路を折りたたむことにより、小型化と同時にファインダー倍率の高倍率化が達成でき好ましい。また、１回反射の場合は、特に光学部材内の他の反射面との相対的な偏心を考慮しなくて良い。屈折面に対し２倍の感度を有する反射面の偏心精度を考慮しなくて良い分、大きなコストダウンが図れる。また反射面が少なくて良い分、光量のロスが防げるので好ましい。


【手続補正１６】
【補正対象書類名】明細書
【補正対象項目名】００６０
【補正方法】変更
【補正の内容】
【００６０】
次に、本発明の第２の発明につき説明する。
本第２の発明のファインダー光学系は、像反転光学系を備えた１回結像のファインダーにおいて、少なくとも１つの面が回転非対称な面を有する像方向変換部材がパワーを有することを特徴とする1 回結像のファインダー光学系である。


【手続補正１７】
【補正対象書類名】明細書
【補正対象項目名】００９６
【補正方法】変更
【補正の内容】
【００９６】
まず、第１の発明の各実施例について記述する。
第1 実施例（図６）及び第2 実施例（図７）は共に、対物レンズ９と像反転光学系１０と接眼レンズ１１を有する、レンズシャッターカメラ用の1 回結像のファインダー光学系である。
猶、対物レンズ９は、単焦点レンズでも、ズームレンズでも適用可能である。


【手続補正１８】
【補正対象書類名】明細書
【補正対象項目名】００９８
【補正方法】変更
【補正の内容】
【００９８】
第１実施例の偏角プリズム１２は、対物レンズ９側から入射する軸上主光線１５をたどって、第1 透過面、第1 反射面、第2 反射面、第2 透過面の順に構成され、第1 反射面と第2 透過面が共通の面である。また、ダハ面１３を有したペチャンプリズム１４は、第1 透過面、第1 反射面、第2 反射面、第3 反射面、第2透過面の構成で、第1 透過面と第3 反射面が、また第１反射面と第2 透過面が共通の面である。そして、第2 反射面がダハ面１３となっている。また、偏角プリズム１２の第1 反射面、第2 反射面、第2 透過面と、ダハ面１３を有したペチャンプリズム１４のダハ面以外の面を回転非対称面０としている。そのため、第１反射面（第２透過面）と第３反射面（第１透過面）とがパワー面となり、ペチャンプリズム１４がパワーを有することになる。


【手続補正１９】
【補正対象書類名】明細書
【補正対象項目名】０１００
【補正方法】変更
【補正の内容】
【０１００】
また、第2 実施例の像反転光学系１０は、第１実施例と同じ偏角プリズム１２とペチャンプリズム１４からなり構成は同じである。しかし、パワーを持った像反転を行わない偏角プリズムの第１反射面と第２透過面とが独立であり、これにより回転非対称な偏心収差の補正の自由度が増え、良好な性能を確保できる。また、第２実施例のペチャンプリズム１４は、全ての面が平面にて構成されており、パワーは有していない。